(57)【要約】  ユーザの居住地のネットワーク・システム（１０）を設定するときに、在宅看護援助を受ける患者又は他のユーザは、符号語化された設定メッセージを受信する。あるタイプの設定メッセージは、符号語のシーケンスを含み、各符号語は、電子メッセージ等のような携帯電話（２８）上のテキストメッセージ又は音声を介して前記ユーザが受信する１つ以上の数字のディジットに対応し、ユーザは前記符号語をセットトップボックス（ＳＴＢ）（１２）に入力する。ユーザは、ＧＵＩ（１８）上に表示される前記符号語を表している画像及び／又は符号語を選択することによって、符号語を入力する。前記ＳＴＢ（１２）は、数字のシーケンスを決定し符号語を復号化するために、翻訳テーブル（４０、４２）を使用する。シーケンス全体は、設定情報シーケンス（例えばユーザＩＤ、ＩＰアドレス等）を表し、ネットワーク・システム（１０）のそれ自体及び／又は他の部品を設定するために、ＳＴＢ（１２）によって使用される。前記設定メッセージがブルートゥースが使用可能な携帯装置に受信される場合、前記設定シーケンスはＳＴＢ（１２）にワイヤレスで送信される。
2010517352.tif 000002
【特許請求の範囲】
【請求項１】
機能的である符号化された設定情報の入力を必要とする第１の装置と、前記設定情報を直接入力するか、又は前記設定情報を符号語若しくはシンボルとして示す第２の装置とを含む、符号化された設定メッセージを用いて遠隔健康管理システムを設定するためのシステム。
【請求項２】
ユーザに双方向ウェルネス及びヘルス―教育プログラミングを示すためのオーディオ及びビデオデータを受信して格納するメモリをさらに有することを特徴とする請求項１に記載のシステム。
【請求項３】
第１の装置がユーザ入力された前記符号化された設定情報を受信する部品を含む、請求項１に記載のシステム。
【請求項４】
通信デバイスが、携帯電話、個人用デスクトップ・アシスタント、ラップトップ又はパーソナル・コンピュータのうちの少なくとも１つであり、無線通信能力を持つ部品を備えている、ユーザが前記符号化された設定情報を受信する当該通信デバイスをさらに有する、請求項３に記載のシステム。
【請求項５】
前記符号化された設定情報を復号化するために複数の符号語及び対応する数字のシーケンスを格納する翻訳テーブルと、ユーザにシステム設定に関係した情報を示すグラフィカル・ユーザ・インタフェース（ＧＵＩ）とをさらに有する、請求項１に記載のシステム。
【請求項６】
ユーザは、通信デバイス上の音声、画像又はテキストメッセージのうちの少なくとも１つの一連の符号語として、前記符号化された設定情報を受信する、請求項５に記載のシステム。
【請求項７】
前記通信デバイスは、携帯電話、個人用デスクトップ・アシスタント、ラップトップ又はパーソナル・コンピュータのうちの少なくとも１つであり、ブルートゥース又は赤外線通信能力のうちの少なくとも一つを持ち、ユーザは、ブルートゥース通信リンク又は赤外線通信リンクのうちの少なくとも１つを使用して、第１の装置に受信メッセージをフォワードすることによって第１の装置に前記符号化された設定情報を入力し、第１の装置は、前記翻訳テーブル上のテーブル検索を実行することにより、フォーワードされたメッセージを復号化し、前記メッセージ内の各符号語に対応する数字のシーケンスを決定する、請求項６に記載のシステム。
【請求項８】
ユーザは、ユーザ入力デバイスを使用して、第１の装置に、前記符号化された設定情報を入力する、請求項６に記載のシステム。
【請求項９】
前記ユーザ入力デバイスは、ユーザが遠隔制御装置上のナビゲーション矢印ボタンを用いて、前記ＧＵＩ上に表示した複数の符号語から順次前記メッセージ内の符号語を選択するように設定される当該遠隔制御装置を含む、請求項８に記載のシステム。
【請求項１０】
ユーザは、前記遠隔制御装置上のナビゲーション矢印ボタンを使用して、前記ＧＵＩに表示された複数の対応するアイコン又は画像から、順次前記テキストメッセージの符号語を選択する、請求項８に記載のシステム。
【請求項１１】
前記翻訳テーブルは、ランダム化技術を使用して生成される、請求項５に記載のシステム。
【請求項１２】
第１の装置が、ユーザ入力された符号語を復号化するために前記翻訳テーブル上のテーブル検索を実行するためのルーチン手段と、復号化された設定情報を用いて、前記システムを設定するためのルーチン手段と、前記ユーザ入力された符号語が正しく入力されたことを確かめる周期的冗長性チェックプロトコルを選択的に実行するルーチン手段とを含む、請求項１に記載のシステム。
【請求項１３】
符号語を複数の数字のシーケンスの一つ以上に割り当てることによって前記翻訳テーブルを生成するステップと、前記翻訳テーブルを第１の装置に格納するステップと、前記符号語に対応する画像を選択することによって複数の符号語をユーザが入力することを促すステップと、それぞれの数字のシーケンスを識別するために前記入力された符号語を復号化するステップと、前記システムを設定するために前記数字のシーケンスを使用するステップとを含む、請求項１に記載のシステムを設定する方法。
【請求項１４】
符号化された設定情報を表している符号語を有する設定メッセージをユーザ装置に送信するステップと、画像、語及び数字のうちの少なくとも一つを複数、ユーザに示すステップと、これら画像、語及び数字のうちの少なくとも一つが複数ある中から、前記符号語を順次選択することによって、前記設定メッセージ内に前記符号語を入力することを前記ユーザに促すステップと、前記設定情報を識別するために、入力された符号語を復号化するステップと、復号化された前記設定情報を使用して、前記システムを設定するステップとを含む、請求項１に記載のシステムを設定する方法。
【請求項１５】
第１の装置が、ラップトップ・コンピュータ、デスクトップＰＣ、タブレット型パソコン、ハンドヘルドＰＣ、及びＰＤＡのうちの少なくとも１つである、請求項１に記載のシステム。
【請求項１６】
符号化された設定メッセージ内の第１の装置に対して符号化された設定情報を受けとるステップを有する遠隔健康管理システムを設定する方法であって、第２の装置は、ワイヤレス通信リンクを介して直接第１の装置に前記設定情報を入力するか、又は第１の装置への手動での入力のためシンボル又は符号語として前記符号化された設定情報を示すかのいずれかである、方法。
【請求項１７】
数字のシーケンスを符号語と対にする翻訳テーブルを生成するステップと、第１の装置に前記翻訳テーブルを格納するステップと、ユーザに一連の符号語を含むテキストメッセージ又は画像メッセージを送るステップと、前記ユーザに前記符号語のシーケンスを第１の装置に入力することを促すステップと、それぞれの数字のシーケンスを識別するために前記翻訳テーブルを使用して、前記符号語を復号化するステップと、第１の装置及び前記システムのうちの少なくとも１つを設定するために前記数字のシーケンスを使用するステップとを含む、請求項１６に記載の方法。
【請求項１８】
ＧＵＩを介して複数の画像をユーザに示すステップをさらに含み、各画像がユニークに符号語に対応する、請求項１７に記載の方法。
【請求項１９】
ユーザは、前記テキストメッセージ又は前記画像メッセージ内の符号語のシーケンスに対応する画像を順次選択する、請求項１８に記載の方法。
【請求項２０】
前記ＧＵＩは、第１の装置に結合されたテレビであり、ユーザは、遠隔制御装置、又は第１の装置に結合されたコンピュータ上のスクリーンを使用し、キーボード、スタイラス、マウス、又はタッチスクリーンのうちの少なくとも１つを使用して、前記画像を選択する、請求項１９に記載の方法。
【請求項２１】
ランダム化技術を使用して、前記翻訳テーブルを生成するステップをさらに含む、請求項１７に記載の方法。
【請求項２２】
ユーザによって、又は郵便若しくはクーリエによって供される電子メール・アドレス及び携帯電話番号のうちの少なくとも１つに前記テキストメッセージ又は前記画像メッセージを送るステップをさらに含む、請求項１７に記載の方法。
【請求項２３】
符号語の前記シーケンスを第１の装置に入力するために、ブルートゥース又は赤外線のようなワイヤレス通信リンクを使用して、ユーザが前記テキストメッセージ又は前記画像メッセージを第１の装置にフォワードする、請求項２２に記載の方法。
【請求項２４】
ユーザが入力した符号語が有効かどうか決定するために周期的冗長検査プロトコルを実行することをさらに含む、請求項２３に記載の方法。
【請求項２５】
請求項１６の方法を実行するためにプログラムされたプロセッサ又はコンピュータの媒体。
【請求項２６】
符号化された設定メッセージを受信するための手段と、前記設定メッセージに含まれる符号語をセットトップボックス（ＳＴＢ）に入力するための手段と、前記符号語を復号化して、前記符号語によって表される数字のシーケンスを決定するための手段と、前記数字のシーケンスを使用して、前記ＳＴＢを設定するための手段とを含む、ＳＴＢを設定するためのシステム。
【請求項２７】
前記符号語はグラフィックシンボルであり、ユーザは、符号語を入力するための前記手段を使用して選択するために、複数のグラフィックシンボルで示される、請求項２６に記載のシステム。
【発明の詳細な説明】
【技術分野】
【０００１】
本出願は、遠隔健康監視システムを設定して年輩者又は虚弱者を支援することを特に含む、健康管理及び健康システムにおける特定のアプリケーションを見出している。しかしながら、記載されている技術は、他の遠隔アクセスシステム、他のユーザ識別及び／又はシステム設定シナリオ又は他の符号化／復号化技術でアプリケーションを見出してもよいことは理解されるだろう。
【発明の概要】
【発明が解決しようとする課題】
【０００２】
民間の家に取り付けられる複雑なネットワーク装置は、ユーザ、サービスプロバイダ、国などの間で異なるであろう複雑な設定をしばしば必要とする。これは、次々に更に、ユーザが経験するであろう問題点を悪化させる。例えば、ネットワーク設定及びユーザＩＤ情報は、ネットワーク・サービスのための異なる周波数及び／又はチャネルを使用する異なる国において変わっているかもしれない。システムの部品又は装置が概して所与の場所において適切に機能するために国に特有の及び／又はユーザに特有の工場前設定を必要とするので、この種の違いは汎用在庫品のシステムの作成を難しくする。
【０００３】
ネットワークの設定の間のネットワーク・セキュリティ・パラメータを設定することは言うまでもなく、ユーザがネットワークを設定することに対する経験及び／又は適性をほとんど有しないときに、他の問題が起こる。さらに、高齢のユーザはしばしば、衰えた視力及び／又はより新規な技術に接した経験の不足のような、システム取付けを妨げる他の限界を持つ。例えば、弱い視力をもつユーザが、複数の英数字、変化に富む大文字・小文字の文字などを有する暗号化された安全鍵を正しく入力することは、困難でありえる。しばしば、セキュリティ・キー入力における反復ミスはユーザのフラストレーションとなったり、プロトコルを無視することになったりし、次々にネットワーク接続を不安定及び弱いままにする。あるいは、この種のユーザは、課題を確認する試みのため長期の期間、サービスプロバイダヘルプラインを占有するか、又はシステムをインストールするためにハウスコールを行うため、専門家にプレミアムを払うことを強制されるであろうし、これら両方は全体のシステム・コストを増す。本出願は、上述した課題及びその他の課題を克服する、新規及び改良されたユーザ識別及びネットワーク設定システム及び方法を提供する。
【課題を解決するための手段】
【０００４】
１つの態様によると、符号化された設定メッセージを用いた遠隔健康管理システムを設定するシステムは、ユーザが符号化された設定情報を入力するセットトップボックス（ＳＴＢ）と、符号化された設定情報を復号化するための複数の符号語及び対応する数字のシーケンスを格納する翻訳テーブルとを含む。システムは更に、ユーザにシステム設定に関係した情報を提示するグラフィカル・ユーザ・インタフェース（ＧＵＩ）を含む。
【０００５】
他の態様によると、システムを設定する方法は、数字のシーケンスを符号語と対にする翻訳テーブルを生成するステップと、前記翻訳テーブルをセットトップボックス（ＳＴＢ）に格納するステップと、ユーザにテキストメッセージを送るステップとを含み、前記テキストメッセージは、一連の符号語を含む。この方法は更に、ユーザに一連の符号語をＳＴＢに入力することを促すステップと、それぞれの数字のシーケンスを識別するために翻訳テーブルを使用して、符号語を復号化するステップと、ＳＴＢ及びシステムのうちの少なくとも１つを設定するために数字のシーケンスを使用するステップとを含む。
【０００６】
１つの効果は、一般的な在庫品の装置が、工場又はサービスプロバイダで費用をかけて予め設定されるよりはむしろ、ユーザの家において容易に設定されることができるということである。
【０００７】
他の有利さは、不注意によるユーザ・アイデンティティ混同又は窃盗を緩和するために、ユーザ識別情報の安全な配布にある。
【０００８】
他の有利さは、ユーザが、プロの設置者、ヘルプデスクリソース又は他の高価な援助を使用する必要性を緩和することにある。
【０００９】
さらにもう一つの効果は使いやすさに関し、初老の、虚弱な及び／又は技術に対してチャレンジとなる患者による使用を可能にするのを容易にする。
【００１０】
さらに他の効果は、記載されている機構の頑丈さにあり、エラーの検出・訂正を容易にする。
【００１１】
主題的発明のなお更なる効果は、以下の詳細な説明を読んで理解する当業者には、わかるであろう。
【００１２】
本発明は、各種の部品及び部品のアレンジメントにおける形式、並びに各種のステップ及びステップのアレンジメントにおける形式とすることができる。図面は、さまざまな態様を例示することのためにだけあって、本発明を制限するものとして解釈されるべきではない。
【図面の簡単な説明】
【００１３】
【図１】図１は、サービスプロバイダでＳＴＢを予め設定することよりもむしろ、患者の居住地でＳＴＢを設定し、遠隔に位置する患者を彼又は彼女のケア提供者に接続する安全な、個人的になされたプラットフォーム・サービスを提供するための遠隔看護システムを例示する。
【図２】図２は、ＧＵＩ及び遠隔制御装置を使用して、サービスプロバイダからのメッセージにおいて受信された情報をＳＴＢに入力するシステムを例示する。
【図３】図３は、ＧＵＩ及び遠隔制御装置を使用して、受信情報をＳＴＢに入力する遠隔看護システムを示し、ここで符号語がユーザ選択のためＧＵＩに提示される。
【図４】図４は、ＧＵＩ及び遠隔制御装置を使用してＳＴＢを設定するシステムを例示し、ここで符号語がＧＵＩ上のそれぞれシンボルによって表される。
【図５】図５は、ユーザのためのメッセージを符号化したり、並びに／又はユーザによってＳＴＢに入力及び／若しくはフォワードされたメッセージを復号化するために利用されることができるような、翻訳テーブルの実施例である。
【図６】図６は、符号語及びこれらの対応する数字のシーケンスを識別することによってメッセージを符号化及び／又は復号化するコーデックとして利用されることができるような、より複雑な翻訳テーブルを示す。
【図７】図７は、ユーザがユーザの家の遠隔健康管理モニタシステムのためのＳＴＢを設定することができるように設定情報を符号化及び復号化する方法を例示する。
【図８】図８は、ユーザ・アクションを最小化して、情報入力を単純化すると共に、ユーザがシステムに符号化された設定情報を入力することができることによって、システム経費を低減する遠隔健康管理システムを設定する方法を例示する。
【発明を実施するための形態】
【００１４】
遠隔患者監視システム１０は、イーサネット（登録商標）部品１４を使用して患者の状態情報を医療サービス・プロバイダと関連した集中型サーバ１６に通信するセットトップボックスのような、装置（ＳＴＢ１２）を含む。ケーブル・テレビ・セットトップボックスに類似しているセットトップボックスとして、このＳＴＢが記載されているが、当該装置は、インタラクティブ健康管理プラットフォームを提供するシステムに組み込まれることができることは理解されたい。いくつかの実施例によれば、システムは、ブロードバンド・テレビ及び遠隔バイタルサイン測定装置を使用し、患者を健康管理プロバイダ及び／又は医学支援システムに接続する。このように、ケア提供者は、各患者に対する経験をカスタマイズすることができ、患者に従事し、健康的な生活、病気管理又は疾患管理等を促進するために、個人に特化されたメディア豊富な内容を提供することができる。例えば、システムは、患者の健康管理ニーズに関連した主題を持つビデオ・オン・デマンドのような教材を届けるために使用されることができる。他の実施例によれば、システムは、薬を飲むため又は医師とのアポイントメントをとる等のために患者にタイムリなメモを供給するために用いることができる。さらに他のシステム機能は、動機付けとなるメッセージを患者に提供するだけでなく、個人的ゴールに向かって患者のトラックプログレスを助けるため患者のバイタルサインなどについてフィードバックを提供することに関する。健康関連の調査は、患者の理解及び／又はコンプライアンスなどに対するテストに実施されることもできる。
【００１５】
ＳＴＢ１２は最初の取付け及び／又は設定プロトコルの間で設定され、この設定の間、患者に特有の登録及び設定情報がＳＴＢ１２に格納される。従来のシステムにおいて、この種の設定は、高コスト及び面倒な態様でサービスプロバイダによって実行される。すなわち、ＳＴＢは、患者の家又は居住地において設定される前に、患者のために予め設定される。本願明細書において記載されているさまざまな特徴によると、在庫品の一般的なＳＴＢ１２（例えば、予め設定される必要がないＳＴＢ）を使用して、患者によって、患者の居住地で実行されるためＳＴＢ１２の設定は単純化され要約される。
【００１６】
図１は、サービスプロバイダでＳＴＢ１２を予め設定することよりもむしろ、患者の居住地でＳＴＢ１２を設定し、遠隔に位置する患者を彼又は彼女のケア提供者に接続する、安全で個人的なプラットフォーム・サービスを提供するための遠隔看護システム１０を例示する。システム１０によって、健康管理組織が、慢性疾患又は状態を管理するために効果的かつ効率的に患者を力づけ援助することができる。システム１０は、ＳＴＢ１２がインターネットを介して集中化したサービスプロバイダ・サーバ１６に接続することができるイーサネット（登録商標）部品１４を有する、ＳＴＢ１２を含む。加えて、ＳＴＢ１２は、ＧＵＩ１８（例えば、テレビ受像機、パーソナル・コンピュータ、ラップトップ、タブレット型パソコン等）に機能的に結合され、これを通じて、情報が患者すなわち「ユーザ」に提示され、ユーザがＳＴＢ１２に情報を入力できる。いくつかの実施例では、ＳＴＢ１２及びＧＵＩ１８及び関連した部品は、互いに一体化されている。例えば、ＳＴＢ１２は、ラップトップ・コンピュータ、タブレット型パソコン、デスクトップＰＣ、ハンドルＰＣ、ＰＤＡなどでありえる。ＳＴＢ１２は、さまざまな動作を実行して、本願明細書において提示されるさまざまな機能を提供する、コンピュータ実行可能な命令、ルーチン、アルゴリズムなどを実行するプロセッサ２０を更に含む。メモリ２２はＳＴＢ機能、設定、ユーザデータ等に関連した情報、及びシステム１０のさまざまな機能に関する他の適切な情報も格納する。メモリ２２は、本願明細書において記載されているさまざまな動作を実行するための情報、及びそれに関係する情報を格納するための持続的なメモリ、一時的なメモリ又は他の適切なメモリも有する。さらに、ＳＴＢ１２は、無線通信部品（例えば携帯電話２８と通信するブルートゥース部品２４及び／又は赤外線（ＩＲ）部品２６）を含む。加えて、又は、あるいは、ＳＴＢ１２は、他の無線通信技術及び／又は部品（例えばＺｉｇｂｅｅ、ＷｉＦｉ等）を使用することができる。
【００１７】
図１において、携帯電話２８が記述されているが、他の適切な装置（例えばラップトップ、タブレット型パソコン、デスクトップＰＣ、ＰＤＡ、ｉ―ｐｈｏｎｅ（登録商標）等）が使用できることを理解すべきである。加えて、ユーザは、キーボード、スタイラス、又はタッチスクリーン・コンピュータ若しくはデバイスなどを操作するための他の器具を用いて、装置に情報を入力することができる。コンピュータが利用される場合、コンピュータはＧＵＩ１８及び携帯電話２８両方として機能することができる。実施例によると、ユーザは符号化ユーザ識別情報及び／又はＳＴＢ設定情報を含む電子メール・メッセージを受信し、ブルートゥース部品２２、ＩＲ部品２４、ケーブルによるリンクを介して、又はコンピュータ・キーボード、マウス若しくはタッチスクリーンを使用して情報を手動で入力することによって、ＳＴＢ１２にフォワードする。他の態様によれば、ユーザは、遠隔制御装置（図示せず）を介してＳＴＢ１２に情報を入力する。例えば、ユーザは、直接数字を入力するための数字キーを利用するか、又はメッセージで受け取られるグラフィカルイメージ及び／又は一連の語、数字に対応するＧＵＩ１８上のグラフィカルイメージ及び／又は一連の語、数字を選択するために、遠隔制御装置上の矢印キーを利用することができる。さらに、メッセージを受信する他の方法は、ユーザがログインするウェブサイト、電話、ボイスメール、郵送等を経て受信することを含む。ユーザ証明された電子メール・アドレス、通りアドレス、電話番号にメッセージを送ることによって、及び／又は、安全な（例えば、ユーザ選択されるパスワードによって）ウェブサイトにログインすることをユーザに要求することによって、サービスプロバイダは、メッセージを受信しているユーザが意図されたユーザであることを確証することができる。
【００１８】
あるいは、ＳＴＢのため遠隔装置は、上記の通りに電話、携帯電話、コンピュータ又は適切な装置と相互に対話するように設定されることができる。ユーザがコンピュータ、携帯電話などを所有しない場合、遠隔装置は情報を検索するためにこの種のアクセスを持つ位置にまで持ってこれる。他のオプションとして、遠隔装置（又はＳＴＢ）は、例えば、マイクロホンで従来のタッチトーン電話の周波数トーンを聞いて、前記トーンを英数字ディジットに変換し、ワイヤレスで前記ディジットをＳＴＢにワイヤレスで送信するように設定することができる。他のオプションとして、別々の取付けモジュールが、携帯電話又はコンピュータ技術なしに、例えば、販売されるか又はローンでそれらに設けられることができる。
【００１９】
他の特徴によれば、ユーザは、システム設定の前のあるポイントで彼又は彼女の移動電話番号をサービスプロバイダに提供する。ユーザが在庫品のＳＴＢ１２を受けとって、ＳＴＢ１２を設定するか又は遠隔監視セッションに対してＳＴＢ１２にログオンする用意があるとき、メッセージはサービスプロバイダによってユーザの携帯電話２８に送信される。このように、サービスプロバイダは、ユーザの移動電話番号がユーザのアイデンティティの確認として役立つので、意図されたユーザが正しく同定されることを確証することができる。メッセージは、ユーザに特有の情報を含み、符号化されたショートメッセージ・サービス（ＳＭＳ）メッセージ又はテキストメッセージの形で送信及び受信される。例えば、ユーザは、各語が一つ以上の数字のディジット又は値と関連している２、３の語のテキストを有するテキストメッセージを受信することができる。例えば、各語（又はある態様ではシンボル）は、整数値、バイナリの値、１６進値などと関連してもよい。簡略化された実施例によれば、ユーザは、それぞれ値１、６及び３を表す語「１、６、３」を有するテキストメッセージを受信する。この例では、ユーザの識別番号は１６３であり、この種の情報はブルートゥース部品２２及び／又はＩＲ部品２４を介して携帯電話２８からＳＴＢ１２までフォワードしてＳＴＢ１２に入力される。あるいは、ユーザは、順次ＧＵＩ１８又は携帯電話キーパッドに番号１、６及び３を入力する。
【００２０】
他の実施例によれば、メッセージは、数字を明確に述べないが、各語がユーザの識別番号の一つ以上のディジットに対応する一連の語を含む。例えば、メッセージは、それぞれ数字３、５、７、及び２（任意にこの実施例のために）に対応するシーケンス「牛、ネコ、イヌ、大鹿」を有する。このように、ユーザのＩＤ番号は３５７２であるが、ユーザはこの番号を知る必要がないか又は記憶している必要はない。ユーザは、このときＳＴＢ１２にメッセージをフォワードするか、又はＧＵＩ１８にメッセージを入力する。ユーザは、例えば、ＧＵＩ１８がコンピュータならばマウス、スタイラス、キーボードカーソル矢印等を用いて、ＧＵＩ１８がテレビならばリモコン（遠隔装置）上の矢印を用いて、ＧＵＩ１８上のユーザに提示される複数の画像から選択することができる。この例では、ユーザは、ウシのイメージを選択し、その後、ネコ、それからイヌ、最後に大鹿の画像を選択する。プロセッサ２０は、ユーザのＩＤ番号を復号化するために各語の画像と関連した数値を識別するため、翻訳テーブル又はルックアップテーブルでテーブル検索ルーチンを実行する。翻訳テーブルは、携帯電話２８、電子メール、翌日配達便、郵便局、標準電話コール等を介してユーザに送る前にメッセージを符号化したサーバ１６だけでなくメモリ２２に保存される。ある態様において、ユーザがキーボードを使用して語のシーケンスを入力するようなユーザー入力と関連した労働を最小化するために、翻訳テーブルに対する短い語（例えば、ほぼ３〜５の文字長さ）を使用することが望ましい。
【００２１】
他の態様によれば、メッセージは、マルチメディアのメッセージサービス（ＭＭＳ）メッセージ（例えば画像及び／又はオーディオ・ファイル）として受け取られる。この場合、ユーザは、ＧＵＩを介して入力することができ、数字のシーケンスを確認するために復号化されることができる一連の形状を受信することができる。加えて、ユーザにより電子メール、ボイスメール、ＳＭＳ、ＭＭＳ等のメッセージフォーマットで受信された情報は、ユーザＩＤ情報に限られていなくて、むしろいかなる適切な所望の設定情報（例えば装置ＩＤ情報、ＩＰアドレス情報、サーバＩＤ情報など）を有してもよい。
【００２２】
加えて、更に多くの監視装置（図示せず）が、（例えば、配線接続を介して並びに／又はブルートゥース部品及びＩＲ部品の何れか一つ若しくは両方を使用して）ＳＴＢに結合して、ユーザ又は患者の状態をモニタすることができ、状態情報をＳＴＢに提供することができ、これで次に介護者、医師等によるレビューのため情報をサーバに提供することができる。前記監視装置は、たとえば血圧監視装置、デジタルスケール、血糖検出装置、血液―酸素モニタ、二酸化炭素モニタ、心電図装置、又はユーザの健康状態を測定若しくはモニタする他の適切な装置でもよい。
【００２３】
図２は、ＧＵＩ１８及び遠隔制御装置３２を使用して、サービスプロバイダからＳＴＢ１２にメッセージで受け取った情報を入力するシステム３０を例示する。加えて、ＧＵＩは、タッチスクリーン・モニタを含むことができる。この意味で、図２は、ユーザが提供したアドレス又は電話番号でメッセージを受信することによってユーザのアイデンティティが確認されたあと、ユーザがＳＴＢ１２に情報を入力する単純な手段を示す。すなわち、メッセージはユーザが同意した又は認証した目的地に送られるので、サービスプロバイダは、意図されたユーザが当該メッセージを受信したことを確証する。遠隔制御装置３２は一般的な遠隔制御装置、又は患者の看護内容を受けて応答するためにカスタマイズされたものであってもよく、これに限定するわけではないがユーザがＧＵＩ１８を通してナビゲートするために操作する複数の方向矢印を含む複数のボタンと、所与のグラフ図を選択するためにユーザが押す「入力」（例えば、「選択」等の）ボタンとを持つ。ＧＵＩ１８は、ユーザが受信メッセージと関連した情報を入力するために選択する多くのグラフィック図（例えば、この実施例の数字）を示す。上記のように、メッセージは、携帯電話、他の移動通信装置、電子メール、ポスト、ボイスメール又は電話などを介して受け取られることができる。加えて、ユーザが選択することができる画像が、数字自体及び数字に対する語の両方の表現を有するものとして示されるにもかかわらず、両方のグラフィック描写がユーザに提示される必要があるというわけではない。むしろ、ユーザは、幾つかの特徴によって、数字だけ又は数字を表わしている語だけによって提示されてもよい。
【００２４】
図２の単純な実施例において、「４  ３  ７」のようなメッセージ（例えば、電子メール、テキスト等）を受信したユーザは、ＧＵＩ１８をナビゲートし、順次ボタン３４を使用して、数字４、３及び７を選択することができる。ユーザによって入力された情報は、例えば、ユーザＩＤ番号、遠隔看護システム及び／又はＳＴＢ１２を設定するための装置ＩＤ番号、ＳＴＢ１２をサーバ１６に接続するためのＩＰアドレス等、又はシステム設定の間及び／若しくはログインの間の入力のための他の情報を表わすことができる。このように、サービスプロバイダは、一つ以上のメッセージを介してユーザに情報を送ることができ、ユーザは、情報の性質に必ずしも気づくことなく刺激されたとき（例えば、情報を受信すると）、ＳＴＢ１２に情報を入力する。加えて、メッセージの情報は、ユーザに伝送の前に符号化されることができて、後で詳しく述べるように、ユーザによる入力に応じてＳＴＢ１２によって復号化されることができる。
【００２５】
図３は、ＧＵＩ１８及び遠隔制御装置３２を使用して、ＳＴＢ１２に受信情報を入力するための遠隔看護システム３６の他の実施例を示し、符号語は、ユーザ選択のためのＧＵＩ１８に提示されている。ＧＵＩ１８は語の複数のグラフィック表示を含み、それぞれ一つ以上のディジットを有する数値に対応する。実施例によると、ユーザは、例えば、「私のツリーは、速く走る。」のようなメッセージを受信する。メッセージがユーザにより提供される特定アドレス（例えば、電話番号、電子メール等）に送られるので、医療サービス・プロバイダは、データが意図されたユーザに送られることを確実にする。ユーザは、ブルートゥースのような無線リンク又はＩＲリンクの何れかを使用して、ＳＴＢ１２にメッセージをフォワードする。あるいは、ユーザは、語のシーケンスを選択するために、遠隔制御装置３２（又は例えばキーボード、スタイラス、音声認識ソフト及びマイクロホン、マウス等のようなＧＵＩ依存の他の入力装置）を利用することができる。例えば、ユーザは「私の」という語のアイコンまでスクロールして、遠隔制御装置３２の選択ボタンを押し、それから「ツリー」までスクロールして選択し、それから「走る」へなどのようにできる。メッセージは、単文、語の列等でありえる。単文については、名詞、動詞などのための別々のスクリーンがあってもよい。選択されたシーケンスがＳＴＢ１２に一旦入力されると、それは復号化される。
【００２６】
入力されたシーケンスを復号化することは、各選択された語をデータ・テーブルで調べるステップと、その関連する値を識別するステップとを含む。例えば、各語が単一のディジット値と関連している場合、１０個の語だけがユーザに送るためのメッセージを符号化するために用いられる必要がある。このように、サービスプロバイダ側のサーバ（例えばサーバ１６）は、システム設定の間、使用されるべきありとあらゆる設定及び／又はユーザ情報を格納することができ、準備の間、ユーザが入力すべきディジットを識別して、数字のシーケンスに対応する語を持つメッセージを生成することによって、ユーザのためのメッセージを符号化することができる。受信すると、ユーザは、ＧＵＩ１８を介してＳＴＢ１２に符号語シーケンスを入力し、ＳＴＢ１２は、対応する数字のシーケンスを識別することによって語シーケンスを復号化するためにメモリに保存されている翻訳テーブルのテーブル検索を実行する。任意には、周期的冗長検査プロトコル又は他の照合テクニックは、照合目的のため、入力された情報について実行されることができる。ＳＴＢ１２は、ＳＴＢ１２それ自体及び／又はＳＴＢ１２が使用されるシステムを設定するために復号化された情報を使用する。
【００２７】
他の実施例によると、各符号語は、２ディジットの数字のシーケンス（例えば、１３、０１、４９など）に対応し、この場合、１００個の符号語が１００個の２ディジットのシーケンス［００―９９］のセットを表すために使用されることができる。したがって、省略（３つの点）が、いかなる数の符号語もさまざまな態様と連動して使用されてもよいことを表わすため、ユーザに示されるだけでなく、ＧＵＩ１８に示される。この場合、翻訳テーブルは、メッセージ・サイズ及びユーザによって入力されるべき符号語の数を減らす利点を持ってわずかにより大きくなる。例えば１００個の符号語の翻訳テーブルを使用して、１２ディジットの装置ＩＤ番号が、符号化され、転送され、６つの符号語だけでユーザにより入力されることができる。１０００個の符号語の翻訳テーブル（例えば、３個のディジットのシーケンス［０００―９９９］のセットに対する）によって、同じ１２ディジット数が４つの符号語だけを用いて符号化されることができる等である。１６進の、英数字、大文字／小文字、八進の、二進の及び他の計数スキームは、考察される。実際、符号語のいかなる数もいかなる数のＮディジットの数字のシーケンスを表すために使用されることができ、Ｎは整数で、たとえば、一般のユーザがシステムの設定を完成するために上手く迅速にナビゲートすることができるアイコン、又は符号語の数についての上限に関する減少したリターンなどの設計上の考慮をすることによってのみ限定される。ＧＵＩ１８で選択されるアイコン及び／又は符号語の数を減らすことによって、ユーザが係わることは更に最小化され、これによって、ユーザ・エラーの危険率を低下させて楽になり、最も虚弱な又は障害をもったか不器用なユーザでさえ遠隔健康管理システムを楽に設定することができる。
【００２８】
図４は、ＧＵＩ１８及び遠隔制御装置３２を使用してＳＴＢ１２を設定するシステム３８の他の実施例を例示し、符号語は、ＧＵＩ１８上のそれぞれのシンボルによって表されている。語の代わりにシンボルを用いることにより、言語がインタフェースから削除されるので、同じメッセージ・システムがいかなる言語のネイティブ・スピーカに対していかなる国においても利用されることができ、このことは、更に設定を単純化して、コストを減らすことになる。例えば、ユーザは、携帯電話、電子メール、テキスト、ポスト、電話、ボイスメール等を介して、患者の好んだ言語での一連の符号語を有するメッセージを受信することができる。１つの実施例によると、ユーザは、一連の語（例えば「太陽、月、星、雨」）を持つ携帯電話上のＳＭＳテキストメッセージを受信する。ユーザが符号化されたメッセージをＳＴＢ１２にフォワードできない場合（例えば、ユーザの携帯電話が、使用可能なＩＲ又はブルートゥースでない場合）、ユーザは、ＧＵＩ１８によってナビゲートし、指定されたシーケンスで符号語に対応するシンボルを選択するために、遠隔制御装置３２を入力利用することができる。対応する数字のシーケンスは、このとき、入力されたシンボル・シーケンスの復号化の際、ＳＴＢ１２により決定される。省略記号は、システム３８が図４に示される１１個の符号語シンボルに限定されず、むしろ画像のいかなる適切な又は所望の数も含むことができることを示すために、ＧＵＩ１８に例示されている。例えば、各画像が一つのディジットに対応する場合、１０個のシンボルが利用されることができる。加えて、各シンボルが２つのディジットのシーケンスに対応する場合、１００個のシンボルが使用できる等である。
【００２９】
他の実施例によると、ユーザは、ＳＴＢ１２及び／又は他のシステム部品を設定するためのＳＴＢ１２に入力されるべき複数のシンボルを持つＭＭＳメッセージを、携帯電話（又は、例えば、画像を有する電子メール、ポスト等）を介して、受信する。ユーザは、遠隔制御装置３２上のナビゲーション矢印を使用して、ＧＵＩ１８を通してナビゲートし、順次、メッセージで受け取られるシンボルを選択する。ＳＴＢ１２は、メモリ格納の翻訳テーブルを評価するために検索ルーチンを実行し、メッセージ内の送信された情報を復号するために、入力されたシンボルに対応する数字のシーケンスを識別する。このように、ユーザは、ピクチャ認識スキル（さもなければ複雑な設定コード及び／又はユーザ情報をＳＴＢ１２に入力することになるであろう）及び／又は基本の語を使用することができる。
【００３０】
他の特徴によると、情報がユーザによって正しく入力されたことを確実にするために、ＳＴＢ１２は、ペリフェラル検証ルーチン（例えば周期的冗長検査（ＣＲＣ）プロトコル）を実行することができる。さらに、一つ以上のシンボル及び／又は符号語は、句読点（例えば、ピリオド、コンマ、バックスラッシュ、前方のスラッシュ等）及び／又は情報の正しい復号化を容易にするための他のシンボルを表わすことができる。例えば、特定の符号語又はシンボルは、例えばＩＰアドレス、サブネット・マスク等を記述する情報に対するような、メッセージを復号化するとき、ピリオドが挿入されなければならないところを詳細に描写するため、他の符号語又はシンボルの間に挿入のため、ピリオド（．）と関連していることがありえる。
【００３１】
さらに他の実施例によると、ユーザは、例えば設定及び／又はトラブルシューティングの間、サーバ１６による問合わせに答えてＳＴＢ１２及び／又はサーバ１６のための情報を確認するために、遠隔制御装置３２及びＧＵＩ１８を利用することができる。例えば、ＳＴＢ１２が製造されるときか、又は設定の間か後にそのソフトウェア又はメモリにロードされるときに、ＳＴＢ１２に関連した数字のシーケンス（例えば、モデル番号、シリアル番号、ソフトウェア・バージョン番号等）に対応する一連のシンボル及び／又は符号語は、ＳＴＢ１２に配置されることができる。ユーザがＳＴＢ１２を経てこの種の情報を入力する必要が起こる場合、ユーザはそうすることを促されることができる。特定の例によると、ユーザは、ＧＵＩ１８上の一連のシンボル及び／又は符号語で提示され、ＧＵＩ１８上の一連のシンボルが、サービスプロバイダ・サーバ及び／又はサーバー側の技術者がこの種の情報を検査することを許容するためにＳＴＢ１２にプリントされる一連のシンボルにマッチするかどうか照合するため問い合わせられる。さらに他の実施例は、システム等にログインするためにあとの時間で符号語及び／又はシンボルを使用することに関する。シンボルは、加えて、異型（例えば白い円及び陰影のついた円等）を持つことができる。このように、ユーザは、所望の情報を提供するために、単純なイエス又はノーのレスポンスを入力するだけである。トラブルシューティングの間、エラーコードが、一連のグラフィックシンボル又は語の形でユーザに報告されることができる。
【００３２】
図５は、ユーザのためのメッセージを符号化し、及び／又は入力されたメッセージを復号し、及び／又はユーザによってＳＴＢにフォワードされるように利用されることができる、翻訳テーブル４０の実施例である。翻訳テーブル４０は、２つのカラムを持ち、左カラムは数値を含み、右カラムにそれぞれ関連の符号語を持つ。テーブル４０が各数字を記述する語に対応するものとして各数字を示すが、上記のように、いかなる語も利用されることができる。例えば、右カラムは、各数字のための名詞（例えば、車、パイプ、丸太、帽子、スプーン、アリ、ソーダ、クマ、ラバ、湖等）を有することができる。符号語が名詞であることに限定されないが、ユーザーが選択可能な画像を符号語の入力のためにユーザに表示するときに、名詞は便利である。加えて、翻訳テーブル４０を設計して符号語を割り当てるときに、弱い視力をもつユーザがそれらを区別することができるようにするために符号語が互いと十分に異なることを確実にすることが考慮されてもよい。例えば、多くの携帯電話はテキスト・サイズを調整することを許容しないので、「ネコ（ＣＡＴ）」と同じ翻訳テーブル内の「車（ＣＡＲ）」又は「ネズミ（ＲＡＴ）」を使用することを避けることが望ましい。２つ以上の互いに異なる意味若しくは地域を持ったり、世代関連、宗教的、差別化、又は攻撃的な暗示的意味を有する同音異義語及び語を回避することも望ましい。このように、ユーザの混乱及び／又はエラーは、緩和できる。
【００３３】
図６は、符号語及びそれらの対応する数字のシーケンスを識別することによってメッセージを符号化及び／又は復号化するコーデックとして利用されることができる、より複雑な翻訳テーブル４２を示す。例えば、テーブル４２の左カラムは、一組の１００個の２ディジットの数字のシーケンス（例えば、セット［０―９９］を含む）を含む。翻訳テーブルの右カラムは、各数字のシーケンスに対する対応する符号語を含む。図６の符号語は、この実施例の目的のために任意に選択されているのであって、限定的に解釈されるべきではない。むしろ、いかなる適切な符号語も、いかなる数字のシーケンスに割り当てられてもよいし、又は関連してもよい。
【００３４】
例えば、ユーザのためのメッセージを作成するとき、サーバー側メッセージジェネレータ（例えば、サーバ、技術者等）は、ユーザが数字のシーケンス1335355812を入力することを必要とすると決定することができる。前記数字のシーケンスは、翻訳テーブル４２を使用して（例えば、テーブル検索を実行し、符号化されたシーケンスを出力するためのルーチンを実行するプロセッサによって）符号化され、符号化されたメッセージ「マウス（ｍｏｕｓｅ）、リンゴ（ａｐｐｌｅ）、リンゴ（ａｐｐｌｅ）、卵（ｅｇｇ）、猿（ａｐｅ）」がユーザに提供される。ユーザは、ＧＵＩ上の符号語を表しているシンボル又は符号語自体を選択することによって、ユーザの住居でコード化されたメッセージをＳＴＢ（例えば上記のＳＴＢ１２）に入力することができる。前記ＳＴＢは、符号語シーケンスを元の数字のシーケンス形式に復号化するために他のテーブル検索（例えば、逆検索）を実行することによって入力されたメッセージを復号化し、それ自体及び／又は他の遠隔健康管理システム部品を設定するために、前記数字のシーケンスを使用する。
【００３５】
図７、８は、種々の特徴に従い、患者によって遠隔健康監視システムをインストールし、及び／又は設定することに関連した一つ以上の方法を例示する。当該方法が一連の行為として記述される一方、すべての行為が記載されている目的及び／又は結果を成し遂げるために必要とされるというわけでもなく、幾つかの行為は、特定の態様に従って、記述された特定の順とは異なる順において実行されてもよいことが理解されよう。
【００３６】
図７は、ユーザがユーザの家の遠隔健康管理監視システムのためのＳＴＢを設定できるように設定情報を符号化及び復号化する方法４４を例示する。４６で、コーデック又は翻訳テーブルが生成される。前記コーデック・テーブルは、複数の数字のシーケンス及び対応するそれぞれの数字のシーケンスを表している語を含む。任意には、前記コーデック・テーブルは、増強される安全性及び製品マッチング等のためランダム発生器等を使用して生成される。４８で、前記コーデック・テーブルは、ＳＴＢに格納される。例えば、製造の間、携帯用のメモリ素子を挿入することによって、公けのインターネット・サイトからダウンロードする等により、前記コーデック・テーブルは複数のＳＴＢ内のメモリに格納されることができる。その結果、多くのＳＴＢが最終的なユーザについての特定の知識なしで一般的に作ることができる。プロバイダサーバ及びＳＴＢ通信を許容するために、前記コーデック・テーブルは、医療サービス・プロバイダ又は設定プロバイダ・サーバにも提供される。
【００３７】
５０で、符号化されたメッセージは、ユーザに送られる。前記メッセージは、ユーザのＳＴＢのための設定情報を含み、当該設定情報は、ユーザＩＤ情報、ＩＰアドレス、ネットワークＩＤ情報に限定されることなく、ユーザがＳＴＢ及び健康管理監視ネットワークの設定の間に入力を促される他のいかなる情報も含む。例えば、前記メッセージは、ユーザがシステム上にログするため入力する暗号化されたユーザＩＤを含むことができる。この場合、１０ディジットのユーザＩＤ、及び設定の間に入力される可能性のある付加的な即ち長めの数は、虚弱、年輩者、関節炎患者等のユーザに対してとっつきにくい入力かもしれない。ユーザＩＤ情報の入力をより容易にするために、符号化されたユーザＩＤは、ユーザに特有の装置に（例えば携帯電話若しくは電子メール・アドレス又は、ユーザが医療サービスに提供した普通郵便によって）送信される。ユーザがアドレス又は電話番号を提供したので、プロバイダは意図されたユーザが符号化されたメッセージの受取人であって、他の人でないことを確信する。メッセージが一連の短い語として符号化されるので、メッセージが意図された受取人（例えば、遠隔監視システムを使用している患者）ではない他のいかなる受取人に対しては無意味に表示される。
【００３８】
５２で、符号化されたメッセージは、初期化期間（例えば、セットアップ等）の間に、前記ＳＴＢにリレーされる。ユーザは、さまざまな態様で符号化されたメッセージを入力することができる。例えば、ユーザの携帯電話及び／又はコンピュータ（例えば、ラップトップ、ＰＣ、タブレット等）は、使用可能なＩＲ又はブルートゥースであり、ユーザは前記ＳＴＢにコード化されたメッセージを単にフォワードし、当該メッセージは、当該メッセージをコード化するために用いた同じコーデック・テーブル及び逆検索ルーチンを使用して復号化される。前記メッセージが受け取られるユーザ装置が前記メッセージをフォワードできない場合、ユーザは、例えばＧＵＩ等のスクリーン上の画像又は語を選択するための遠隔制御装置、マウス、スタイラスを使用して、前記ＳＴＢのＧＵＩと関連したキーボードに前記メッセージをタイプすること等によって、手動で前記メッセージを入力する。一旦入力されると、５４で、前記ＳＴＢは、元の数字のシーケンスへとメッセージを復号化する。５６で、復号化されたシーケンスは、システムを設定するために利用される。例えば、前記シーケンスがユーザのＩＤ番号を表す場合、入力及び復号化に応じて、ユーザは前記ＳＴＢ及び関連したシステムにアクセスすることを許容できている。必要に応じて、５８で、周期的冗長検査（ＣＲＣ）プロトコルは、符号語の正しい入力を確証するために実行される。もちろん、図１及び２の実施例、及び数字が直接入力される他の実施例では、コーデック（又は十進からバイナリの変換を越えた符号化）が復号化のために生成される、格納される、又は用いられる必要がない。
【００３９】
図８は、ユーザ・アクションを最小化し、情報入力を単純化する一方で、ユーザがコード化された設定情報をシステムに入力することを許容することによって、システム経費を低減する遠隔健康管理システムを設定する方法６０を例示する。例えば、６２で、ユーザは、コード化された設定情報メッセージを受信する。１つの実施例によれば、ユーザは、携帯電話上のテキストメッセージとして、設定メッセージを受信する。この例では、ユーザはメッセージを送っている健康管理プロバイダに携帯電話番号を提供したので、前記健康管理プロバイダは、メッセージが送られるユーザが意図された受取人であると確信する。任意には、ユーザは、アイデンティティを検査するか、又は一つのＳＴＢの複数のユーザ間を区別するために、プロバイダへ質問に答えることができる。あるいは、郵便、ボイスメール、又は他のいかなる適切な態様と同様に、ユーザは、予め設けられている電子メール・アドレスで設定メッセージを受信することができる。前記設定メッセージは複数の符号語を含み、各々は特定の数字のシーケンス（例えば、一つ以上の整数、１６進値等）に対応する。
【００４０】
６４で、ユーザは、ユーザ入力デバイス（ＵＩＤ）を使用して、ＳＴＢに設定符号語を入力する。前記ＵＩＤは、例えば、前記ＳＴＢに関連したコンピュータ、又は前記ＳＴＢに関連したキーボードでありえる。他の実施例によれば、前記ＵＩＤは、設定電子メール・メッセージが受け取られたコンピュータと関連したキーボード、マウス、スタイラス又は他の入力装置である。ユーザ・コンピュータ又は携帯電話がブルートゥース又はＩＲ通信に対して使用可能な場合、ユーザは単に使用可能なＩＲ及びブルートゥースで前記ＳＴＢに受信メッセージ（例えば、電子メール、テキスト、ＳＭＳ等）をフォワードする。この場合、携帯電話又はコンピュータはＵＩＤとして働き、ユーザのかかわり合いが最小化される。前記ＵＩＤがブルートゥース又はＩＲ使用可能でない場合、ユーザは、上述のキーボード、スタイラス又はマウス、音声作動式ソフトウェア等を使用して、手動で前記ＳＴＢに情報を入力する。幾つかの例において、ユーザは、前述したように、符号語及び／又は画像をスクロールして、選択するために、遠隔制御装置を利用する。
【００４１】
他の実施例によると、ユーザは、ＳＴＢに接続しているＧＵＩ（例えば、コンピュータ・スクリーン、テレビ等）を介して、設定メッセージにおいて受け取られた符号語に関係した情報で提示される。例えば、ユーザは、ＧＵＩスクリーン上の複数の語（例えば、テキスト）で提示され、ＵＩＤを使用して、設定メッセージに現れるシーケンスにおいてスクリーン内の語を選択することができる。他の実施例によると、ユーザは、さまざまな符号語に対応する画像によって提示され、シーケンシャルに受信メッセージ内の符号語シーケンスに対応する画像を選択する。例えば、ユーザが「牛、ネコ、イヌ、木、猿」を読み込んでいるテキストメッセージを受信する場合、ユーザは、ＵＩＤを用いて、ＧＵＩ上の対応する語及び／又は画像を順次選択することができる。さらに、他の態様によると、ユーザの好みに応じて、ユーザは、ＧＵＩが画像、語、又は両方とも示すかどうかを選択することが可能である。このように、ユーザは、弱い視力、年輩者、虚弱体質者などのユーザにとって困難でありえる長い設定コード・シーケンス、ユーザＩＤ番号などの複雑な入力から離れることができる。
【００４２】
６６で、ＳＴＢは、入力した符号語のテーブル検索を実行し、符号語をこれらにより表される数字のシーケンスに翻訳する。たとえば、各符号語が０と９９との間の２桁の数字を表す場合、５個の符号語シーケンス「牛、ネコ、イヌ、木、猿」は、ＳＴＢが設定コード（例えば、ネットワークＩＤ、ユーザＩＤ又は他の幾つかの適切な設定コード等）として認識できる１０桁の数字のシーケンスに翻訳される。ＳＴＢは、このように、ユーザによって入力される符号化された設定メッセージを復号化する。
【００４３】
６８で、設定情報が有効かどうかに関して決定がなされる。前記決定は、例えば、入力されたシーケンスで実行されるＣＲＣプロトコルの関数でありえる。入力された設定が有効である場合、７０で、復号化された設定情報は、ＳＴＢに関連した遠隔健康管理システム（例えば、一つ以上の監視装置（例えばスケール、血圧計カフ等））及び／又は前記ＳＴＢを設定するために使用される。入力された情報が有効でない場合、７２で、エラー・メッセージは、符号語を再入力するよう促して、ユーザに（例えば、ＧＵＩを介して）提示される。このように、複雑な設定情報及び／又は長い数字のシーケンスのユーザ入力は、ユーザが単純な符号語及び／又は関連した画像を入力することを許容することによってより容易にされることができる。他の実施例において、ユーザは単にブルートゥース又はＩＲ通信技術を使用して、受け取った符号語メッセージをフォワードし、設定情報のユーザ入力は一つのフォワード動作に完全に低減される。
【００４４】
他の態様では、イーサネット（登録商標）対応ＳＴＢは、上記のようなすべての設定情報より少なく受ける。むしろ、ユーザは、サーバと連結して、それ自体を識別するのに十分な情報を受信し、サーバから残りの設定情報を受け取る。加えて、ＳＴＢはいくつかの設定ルーチンによって予めロードされることができ、上述の設定情報はどのルーチンを実行するべきかという識別を含むことができる。例えば、ＳＴＢは１００個の異なる国又は領域の各々のための１００個の（例えば、［００―９９］）準備設定サーバのＩＰアドレスによって予めロードされることができ、ＩＰアドレスが、ほとんどの場合、２桁の十進数で入力されることができる。このように好ましい実施例を記載して、本発明は、現在、請求項の通りであると主張する。
【図１】
2010517352.tif 000003
【図２】
2010517352.tif 000004
【図３】
2010517352.tif 000005
【図４】
2010517352.tif 000006
【図５】
2010517352.tif 000007
【図６】
2010517352.tif 000008
【図７】
2010517352.tif 000009
【図８】
2010517352.tif 000010
【国際調査報告】
2010517352.tif 000011
2010517352.tif 000012
2010517352.tif 000013